(57)【要約】【課題】装置仕様規定より厚さの薄い媒体の取込みを防止して、装置仕様規定より厚さの薄い媒体の取込みによるジャムの発生を未然に防ぐようにする。【解決手段】媒体挿入口１から装置内部に延在する搬送路３に上下動可能な媒体押圧ロッド６と規定外媒体検知センサ７を設けると共に、媒体に対する媒体押圧ロッド６の押圧力を装置仕様規定の厚さの媒体は変形せず、装置仕様規定より厚さの薄い媒体の場合は変形する強さに設定して、媒体挿入口１から搬送路に挿入された媒体を媒体押圧ロッド６で押圧し、一定時間経過しても規定外媒体検知センサ７が媒体を検知しない場合は媒体を取込み、検知した場合は取込まないようにする。【選択図】図１
2009211581.tif 000002
【特許請求の範囲】
【請求項１】
挿入口から挿入される媒体を取込み、搬送路により搬送して媒体に対する処理を行う媒体処理装置において、
前記搬送路を開閉するシャッタと、前記挿入口から前記搬送路に挿入された媒体を検知する媒体検知手段と、挿入された媒体の厚さ方向に動作する媒体押圧手段と、この媒体押圧手段により押圧されて変形した媒体を検知する規定外媒体検知手段を設けると共に、前記媒体押圧手段による媒体に対する押圧力を、当該装置仕様規定の媒体は変形せず、装置仕様規定より厚さの薄い媒体は変形する強さに設定して、
前記シャッタが前記搬送路を閉じている状態で前記挿入口から挿入され、前記媒体検知手段により検知された媒体を前記媒体押圧手段により押圧したとき、前記規定外媒体検知手段が媒体を検知しない場合、前記シャッタを退避させることで前記搬送路を開放して前記媒体を取込むことを特徴とする媒体処理装置。
【請求項２】
請求項１記載の媒体処理装置において、
媒体挿入方向における前記挿入口の下流側に搬送ローラとこの搬送ローラに対して当接、離間可能なプレスローラを設け、
前記搬送ローラに対してプレスローラを離間させた状態で、前記媒体押圧手段により押圧された媒体を前記規定外媒体検知手段が検知しない場合、前記プレスローラを前記搬送ローラに当接させてローラ間に前記媒体を挟持し、かつ前記シャッタを退避させることで前記搬送路を開き、前記搬送ローラを回転させて前記媒体を取込むことを特徴とする媒体処理装置。
【請求項３】
挿入口から挿入される媒体を取込み、搬送路により搬送して媒体に対する処理を行う媒体処理装置において、
媒体の厚さ方向に動作して媒体を押圧しかつ前記搬送路を開閉するシャッタと、前記挿入口から前記搬送路に挿入された媒体を検知する媒体検知手段と、前記シャッタにより押圧されて変形した媒体を検知する規定外媒体検知手段を設けると共に、前記シャッタによる媒体に対する押圧力を、当該装置仕様規定の媒体は変形せず、装置仕様規定より厚さの薄い媒体は変形する強さに設定して、
前記シャッタが前記搬送路を閉じている状態で前記挿入口から挿入された媒体が前記媒体検知手段により検知されると、前記シャッタを退避させて前記搬送路を開放し、その後前記媒体を前記媒体押圧手段により押圧したとき、前記規定外媒体検知手段が媒体を検知しない場合、前記シャッタを退避させることで前記搬送路を開放して前記媒体を取込むことを特徴とする媒体処理装置。
【請求項４】
請求項３記載の媒体処理装置において、
媒体挿入方向における前記挿入口の下流側に搬送ローラとこの搬送ローラに対して当接、離間可能なプレスローラを設け、
前記搬送ローラに対してプレスローラを離間させた状態で、前記シャッタにより押圧された媒体を前記規定外媒体検知手段が検知しない場合、前記プレスローラを前記搬送ローラに当接させてローラ間に前記媒体を挟持し、かつ前記シャッタを退避させることで前記搬送路を開き、前記搬送ローラを回転させて前記媒体を取込むことを特徴とする媒体処理装置。
【発明の詳細な説明】
【技術分野】
【０００１】
本発明は、挿入口から挿入される媒体を取込んで読取りや印字等の処理を行う媒体処理装置に関する。
【背景技術】
【０００２】
従来のこの種の媒体処理装置として、例えば航空券の処理を行う装置がある。
この媒体処理装置では、予め利用者に発券された航空券が挿入口から挿入されると、その航空券を取込んで、航空券に記録された磁気データ等の読取り、あるいは航空券に対する印字等の処理を行って排出したり、挿入された券を収納して新たな券の交換発行等を行うものとなっている（例えば、特許文献１参照）。
【特許文献１】特開２００５−２６６８６４公報
【発明の開示】
【発明が解決しようとする課題】
【０００３】
しかしながら、上述した従来の技術においては、以下の問題がある。
すなわち、一般のこの種の装置では取扱う媒体（券）の仕様により、媒体の大きさ、フォーマット等と共に媒体の厚さが規定されており、装置仕様規定外の厚さの媒体が挿入されると、搬送途中でジャム等の不具合が生じることになる。
この場合、装置仕様規定より厚い媒体については、厚さを規制する手段を挿入口に設ける等の比較的簡易な構成により装置内への取込みを防止できるが、装置仕様規定より薄い腰の弱い媒体が挿入された場合その取込みを防止できず、結局搬送途中でジャム等の不具合が生じるという問題がある。
【０００４】
本発明は、このような問題を解決することを課題とする。
【課題を解決するための手段】
【０００５】
そのため、本発明は、挿入口から挿入される媒体を取込み、搬送路により搬送して媒体に対する処理を行う媒体処理装置において、前記搬送路を開閉するシャッタと、前記挿入口から前記搬送路に挿入された媒体を検知する媒体検知手段と、挿入された媒体の厚さ方向に動作する媒体押圧手段と、この媒体押圧手段により押圧されて変形した媒体を検知する規定外媒体検知手段を設けると共に、前記媒体押圧手段による媒体に対する押圧力を、当該装置仕様規定の媒体は変形せず、装置仕様規定より厚さの薄い媒体は変形する強さに設定して、前記シャッタが前記搬送路を閉じている状態で前記挿入口から挿入され、前記媒体検知手段により検知された媒体を前記媒体押圧手段により押圧したとき、前記規定外媒体検知手段が媒体を検知しない場合、前記シャッタを退避させることで前記搬送路を開放して前記媒体を取込むことを特徴とする。
【発明の効果】
【０００６】
このようにした本発明は、挿入口から搬送路に挿入された媒体を媒体押圧ロッドで押圧し、このとき規定外媒体検知手段が媒体を検知しない場合は媒体を取込み、検知した場合は取込まないため、装置仕様規定より厚さの薄い媒体の取込みを防止することができるという効果が得られ、装置仕様規定より厚さの薄い媒体の取込みによるジャムの発生を未然に防ぐことが可能になる。
【発明を実施するための最良の形態】
【０００７】
以下、図面を参照して本発明による媒体処理装置の実施例を説明する。
【実施例１】
【０００８】
図１は第１の実施例を示す要部側断面図、図２は要部平面図である。
図において１は媒体挿入口、２ａは上部搬送ガイド、２ｂは下部搬送ガイドで、上部搬送ガイド２ａと下部搬送ガイド２ｂは上下に対向するように設けられていて、媒体挿入口１から装置内に向かって延在する媒体搬送路３を構成しており、この媒体搬送路３は当該装置で取扱う媒体の幅と少なくとも同等の幅を有している。
【０００９】
４と５は上部搬送ガイド２ａと下部搬送ガイド２ｂを挟んで対向するように配置された発光素子と受光素子からなる第１の媒体検知センサで、媒体搬送路３の幅方向の左右両端部側に位置するように設けられており、上部搬送ガイド２ａと下部搬送ガイド２ｂには各々発光素子の光を通過させる透孔があけられている。
６は媒体押圧ロッド（媒体押圧手段）で、媒体挿入口１から挿入される媒体の挿入方向の第１の媒体検知センサ４、５より下流側において上部搬送ガイド２ａ側に設けられ、図示しない駆動手段により上下動するものとなっている。
【００１０】
この媒体押圧ロッド６は、その材質や大きさ及び駆動手段による駆動力により、媒体に対する押圧力が装置仕様規定の厚さの媒体は変形せず、装置仕様規定より厚さの薄い媒体は変形する強さになるように設定されている。
７は媒体押圧ロッド６により押圧されて変形した装置仕様規定より厚さの薄い媒体を検知する発光素子と受光素子からなる規定外媒体検知センサで、下部搬送ガイド２ｂの下側に配置されている。
【００１１】
８と１０は下部搬送ガイド２ｂ側に所定の間隔で配置された搬送ローラで、媒体挿入方向において媒体押圧ロッド６の下流側に設けられている。
９と１１は搬送ローラ８と１０に対応するプレスローラで、上部搬送ガイド２ａ側に所定の間隔で配置されている。
搬送ローラ８と１０はそれぞれの外周の一部が下部搬送ガイド２ｂに設けられた穴１２ｂ、１３ｂから下部搬送ガイド２ｂ上に突出し、プレスローラ９と１１はそれぞれの外周の一部が上部搬送ガイド２ａに設けられた穴１２ａ、１３ａから上部搬送ガイド２ａ下に突出して搬送ローラ８と１０にそれぞれ当接しているが、搬送ローラ１０より上流側に位置する搬送ローラ８に対応するプレスローラ９は媒体押圧ロッド６用とは別の図示しない駆動手段により上方に退避して搬送ローラ８から離間できるようになっている。
【００１２】
また、搬送ローラ８とプレスローラ９を突出させる穴１２ａ、１２ｂは、搬送ローラ８とプレスローラ９の直径より大きくとって、この穴１２ａ、１２ｂにより媒体押圧ロッド６の上下動を可能にしているが、媒体押圧ロッド６専用の穴を別途に上部搬送ガイド２ａと下部搬送ガイド２ｂに設けるものとしてもよい。
尚、搬送ローラ１０とプレスローラ１１によるローラ対は、上部搬送ガイド２ａと下部搬送ガイド２ｂによる媒体搬送路３に沿って必要数設けられている。
【００１３】
１４は上部搬送ガイド２ａと下部搬送ガイド２ｂを挟んで対向するように配置された発光素子と受光素子からなる第２の媒体検知センサで、媒体挿入方向において搬送ローラ８及びプレスローラ９の下流側で搬送路の幅方向のほぼ中央に位置するように設けられており、上部搬送ガイド２ａと下部搬送ガイド２ｂには発光素子の光を通過させる透孔があけられている。
【００１４】
１５と１６はそれぞれ長片部と短片部からなるＬ字形のシャッタで、短辺部を下方に向けかつ長片部の一端を支点として回動するように上部搬送ガイド２ａ上に設けられ、かつ媒体搬送路３の幅方向の左右両端部側に位置するように配置されている。
このシャッタ１５と１６の短辺部に対応するように上部搬送ガイド２ａと下部搬送ガイド２ｂには出入孔１７と１８が設けられていて、シャッタ１５と１６が媒体押圧ロッド６用やプレスローラ９用とは別の図示しない駆動手段により前記支点を中心に下方に回動して短辺部が対応する出入孔に入り込むことで媒体搬送路３を閉止し、またシャッタ１５と１６が上方に回動して各々の短片部が上部搬送ガイド２ａ上に退避することで媒体搬送路３を開放するものとなっている。
【００１５】
図３は上述した構成による第１の実施例の作用を示す図で、同図（ａ）は装置仕様規定の厚さの媒体を挿入したときの要部側断面図、同図（ｂ）は装置仕様規定の厚さの媒体を挿入したときの要部平面図、同図（ｃ）は装置仕様規定より厚さの薄い媒体を挿入したときの要部側断面図であり、以下これらの図を参照して作用を説明する。
尚、以下の説明において第１の媒体検知センサ４と５、媒体押圧ロッド６、搬送ローラ８と１０、プレスローラ９、第２の媒体検知センサ１４、及びシャッタ１５と１６等の動作は、図示しない記憶部に格納されたプログラム（ソフトウェア）に基づいて図示しない制御部により制御されるものとする。
【００１６】
媒体が挿入されていない状態では、媒体押圧ロッド６は媒体の挿入を妨げないように図示しない駆動手段により上方に退避し、またプレスローラ９も図示しない駆動手段により上方に退避して搬送ローラ８から離間しており、シャッタ１５と１６は図示しない駆動手段により支点を中心に下方に回動して短辺部が対応する出入孔１７、１８に入り込むことで媒体搬送路３を閉じている。
【００１７】
この状態で図３（ａ）、（ｂ）に示したように装置仕様規定の厚さの媒体１９を作業者が媒体挿入口１から媒体搬送路３を閉じているシャッタ１５と１６の短辺部に突き当たるまで挿入すると、第１の媒体検知センサ４、５及び第２の媒体検知センサ１４により媒体１９が検知される。
このように媒体１９が第１の媒体検知センサ４、５及び第２の媒体検知センサ１４で検知されると、図示しない駆動手段により媒体押圧ロッド６が下降して、下部搬送ガイド２ｂに設けられた穴１２ｂ上で媒体１９を押圧するが、前記のように媒体押圧ロッド６は、その材質や大きさおよび駆動手段による駆動力により、媒体に対する押圧力が装置仕様規定の厚さの媒体は変形せず、装置仕様規定より厚さの薄い媒体は変形する強さになるように設定されているので、装置仕様規定の厚さの媒体１９は変形せず、平坦な状態を保持する。
【００１８】
この場合、媒体押圧ロッド６が媒体１９を押圧してから一定時間経過しても、規定外媒体検知センサ７は媒体１９を検知しないので、一定時間経過後、プレスローラ９が図示しない駆動手段により下降して搬送ローラ８との間に媒体１９を挟持し、またシャッタ１５、１６が上方に回動して各々の短片部が上部搬送ガイド２ａ上に退避することで媒体搬送路３を開放する。
【００１９】
同時に搬送ローラ８、１０が図３（ａ）に矢印で示した反時計回り方向に回転し、これにより媒体１９は搬送されて装置内に取り込まれ、磁気データ等の読取り部や印字等の処理部に搬送されて行く。
一方、図３（ｃ）に示したように装置仕様規定より厚さの薄い（腰の弱い）媒体２０を作業者が媒体挿入口１から媒体搬送路３を閉じているシャッタ１５と１６の短辺部に突き当たるまで挿入すると、第１の媒体検知センサ４、５及び第２の媒体検知センサ１４により媒体１９が検知される。
【００２０】
このように媒体２０が第１の媒体検知センサ４、５及び第２の媒体検知センサ１４で検知されると、図示しない駆動手段により媒体押圧ロッド６が下降して、下部搬送ガイド２ｂに設けられた穴１２ｂ上で媒体２０を押圧する。
媒体押圧ロッド６は、前記のように押圧力が装置仕様規定より厚さの薄い媒体は変形する強さになるように設定されているので、媒体押圧ロッド６により押圧された媒体２０は変形して穴１２ｂの下に押下げられ、規定外媒体検知センサ７によって検知される。
【００２１】
これにより図示しない制御部は挿入された媒体が装置仕様規定より厚さの薄い媒体２０であると判断して、プレスローラ９の下降やシャッタ１５、１６の上部搬送ガイド２ａ上への退避動作及び取込み動作を行わず、図示しない表示部に装置取り扱い以外の媒体であることを作業者に知らせてその抜き取りを促す旨のメッセージを表示する。
これにより媒体２０の装置内への取込は防止され、そして表示されたメッセージを見た作業者により媒体挿入口１からの媒体２０の除去が行われる。
【００２２】
以上説明した第１の実施例では、媒体挿入口から装置内部に延在する搬送路に上下動可能な媒体押圧ロッドと規定外媒体検知センサを設けると共に、媒体に対する媒体押圧ロッドの押圧力を装置仕様規定の厚さの媒体は変形せず、装置仕様規定より厚さの薄い媒体の場合は変形する強さに設定して、媒体挿入口から搬送路に挿入された媒体を媒体押圧ロッドで押圧して、一定時間経過しても規定外媒体検知センサが媒体を検知しない場合は媒体を取込み、検知した場合は取込まないようにしているため、装置仕様規定より厚さの薄い媒体の取込みを防止することができるという効果が得られ、装置仕様規定より厚さの薄い媒体の取込みによるジャムの発生を未然に防ぐことが可能になる。
【００２３】
尚、上述した第１の実施例において、媒体押圧ロッド（媒体押圧手段）６は、搬送ローラ８とプレスローラ９の上流側の位置に設けた場合を図示しているが、媒体挿入方向においてシャッタ１５と１６の上流側に設けられていればよい。
図４は第２の実施例を示す要部側断面図、図５は要部平面図である。
この第２の実施例は、シャッタ１５、１６を媒体押圧手段として兼用させることで第１の実施例における媒体押圧ロッド６を省くと共に、規定外媒体検知センサ７をシャッタ１５、１６用の出入孔１７と１８の下側にそれぞれ配置したものである。
【００２４】
この場合、シャッタ１５、１６はその材質や大きさ及び駆動手段による駆動力により、媒体に対する押圧力が装置仕様規定の厚さの媒体は変形せず、装置仕様規定より厚さの薄い媒体は変形する強さになるように設定されている。
この他の構成は、第１の実施例と同様であるので説明を省略するが、装置仕様規定より厚さの薄い媒体がシャッタ１５、１６により押圧されたとき変形し易いように、少なくとも下部搬送ガイド２ｂ側の出入孔１７と１８の大きさを第１の実施例に比べて大きくとっている。
【００２５】
図６は上述した構成による第２の実施例の作用を示す図で、同図（ａ）は装置仕様規定の厚さの媒体を挿入したときの要部側断面図、同図（ｂ）は装置仕様規定より厚さの薄い媒体を挿入したときの要部側断面図であり、以下これらの図を参照して作用を説明する。
尚、以下の説明において第１の媒体検知センサ４と５、搬送ローラ８と１０、プレスローラ９、第２の媒体検知センサ１４、及びシャッタ１５と１６等の動作は、図示しない記憶部に格納されたプログラム（ソフトウェア）に基づいて図示しない制御部により制御されるものとする。
【００２６】
媒体が挿入されていない状態では、プレスローラ９は図示しない駆動手段により上方に退避して搬送ローラ８から離間しており、シャッタ１５と１６は図示しない駆動手段により支点を中心に下方に回動して短辺部が対応する出入孔１７、１８に入り込むことで媒体搬送路３を閉じている。
この状態で図６（ａ）に示したように装置仕様規定の厚さの媒体１９を作業者が媒体挿入口１から媒体搬送路３を閉じているシャッタ１５と１６の短辺部に突き当たるまで挿入すると、第１の媒体検知センサ４、５及び第２の媒体検知センサ１４により媒体１９が検知される。
【００２７】
このように媒体１９が第１の媒体検知センサ４、５及び第２の媒体検知センサ１４で検知されると、プレスローラ９が図示しない駆動手段により下降して搬送ローラ８との間に媒体１９を挟持し、またシャッタ１５、１６が図示しない駆動手段により上方に回動して各々の短片部が上部搬送ガイド２ａ上に退避することで媒体搬送路３を開放する。
同時に搬送ローラ８が矢印で示した反時計回り方向に一定量回転して媒体１９を下流側の搬送ローラ１０方向に一定量搬送する。
【００２８】
これにより媒体１９が下部搬送ガイド２ｂ側の出入孔１７と１８を覆う位置に停止されると、シャッタ１５と１６がそれぞれの支点を中心に下方に回動して短辺部が下降し、出入孔１７、１８上で媒体１９を押圧するが、前記のようにシャッタ１５と１６は、その材質や大きさおよび駆動手段による駆動力により、媒体に対する押圧力が装置仕様規定の厚さの媒体は変形せず、装置仕様規定より厚さの薄い媒体は変形する強さになるように設定されているので、装置仕様規定の厚さの媒体１９は変形せず、平坦な状態を保持する。
【００２９】
この場合、媒体押圧ロッド６が媒体１９を押圧してから一定時間経過しても、規定外媒体検知センサ７は媒体１９を検知しないので、一定時間経過後、搬送ローラ８、１０が反時計回り方向に回転し、これにより媒体１９は搬送されて装置内に取り込まれ、磁気データ等の読取り部や印字等の処理部に搬送されて行く。
一方、図６（ｂ）に示したように装置仕様規定より厚さの薄い腰の弱い媒体２０を作業者が媒体挿入口１から媒体搬送路３を閉じているシャッタ１５と１６の短辺部に突き当たるまで挿入すると、第１の媒体検知センサ４、５及び第２の媒体検知センサ１４により媒体１９が検知される。
【００３０】
このように媒体２０が第１の媒体検知センサ４、５及び第２の媒体検知センサ１４で検知されると、プレスローラ９が図示しない駆動手段により下降して搬送ローラ８との間に媒体２０を挟持し、またシャッタ１５、１６が図示しない駆動手段により上方に回動して各々の短片部が上部搬送ガイド２ａ上に退避することで媒体搬送路３を開放する。
同時に搬送ローラ８が矢印で示した反時計回り方向に一定量回転して媒体１９を下流側の搬送ローラ１０方向に一定量搬送する。
【００３１】
これにより媒体２０が下部搬送ガイド２ｂ側の出入孔１７と１８を覆う位置に停止されると、シャッタ１５と１６がそれぞれの支点を中心に下方に回動して短辺部が下降し、出入孔１７、１８上で媒体２０を押圧する
シャッタ１５と１６は、前記のように押圧力が装置仕様規定より厚さの薄い媒体は変形する強さになるように設定されているので、媒体押圧ロッド６により押圧された媒体２０の先端は変形して出入孔１７と１８の下に押下げられ、規定外媒体検知センサ７によって検知される。
【００３２】
これにより図示しない制御部は挿入された媒体が装置仕様規定より厚さの薄い媒体２０であると判断して、プレスローラ９を上昇させて取込み動作を行わず、図示しない表示部に装置取り扱い以外の媒体であることを作業者に知らせてその抜き取りを促す旨のメッセージを表示する。
これにより媒体２０の装置内への取込は防止され、そして表示されたメッセージを見た作業者により媒体挿入口１からの媒体２０の除去が行われる。
【００３３】
以上説明した第２の実施例では、媒体挿入口から装置内部に延在する搬送路を開閉するシャッタに対応させて規定外媒体検知センサを設けると共に、媒体に対するシャッタの押圧ロッドの押圧力を装置仕様規定の厚さの媒体は変形せず、装置仕様規定より厚さの薄い媒体の場合は変形する強さに設定して、媒体挿入口から搬送路に挿入された媒体を媒体シャッタで押圧して、一定時間経過しても規定外媒体検知センサが媒体を検知しない場合は媒体を取込み、検知した場合は取込まないようにしているため、第１の実施例と同様に装置仕様規定より厚さの薄い媒体の取込みを防止することができるという効果が得られ、装置仕様規定より厚さの薄い媒体の取込みによるジャムの発生を未然に防ぐことが可能になる。
【００３４】
尚、上述した第１、第２の実施例では、規定外媒体検知手段として発光素子と受光素子を有する規定外媒体検知センサ７を用いるものとしたが、媒体押圧ロッド６やシャッタ１５、１６により押されることで動作する機械的なスイッチを用いることも可能である。
また、上述した第１、第２の実施例による媒体処理装置は、挿入口から挿入される航空券を取込んで、航空券に記録された磁気データ等の読取り、あるいは航空券に対する印字等の処理を行って排出したり、挿入された券を収納して新たな券の交換発行等の処理を行う装置の他、交通機関として電車やバスの乗車券あるいはイベント入場券や前売り券等の媒体に対して同様の処理を行う装置に適用することができる。
【図面の簡単な説明】
【００３５】
【図１】第１の実施例を示す要部平面図
【図２】第１の実施例を示す側断面図
【図３】第１の実施例の作用を示す図
【図４】第２の実施例を示す要部平面図
【図５】第２の実施例を示す側断面図
【図６】第２の実施例の作用を示す図
【符号の説明】
【００３６】
１    媒体挿入口
２ａ  上部搬送ガイド
２ｂ  下部搬送ガイド
３    媒体搬送路
４、５  第１の媒体検知センサ
６    媒体押圧ロッド
７    規定外媒体検知センサ
８    搬送ローラ
９    プレスローラ
１０  搬送ローラ
１１  プレスローラ
１２ａ、１２ｂ  穴
１４  第２の媒体検知センサ
１５、１６  シャッタ
１７、１８  出入孔
１９  装置仕様規定の厚さの媒体
２０  装置仕様規定より厚さの薄い媒体
【図１】
2009211581.tif 000003
【図２】
2009211581.tif 000004
【図３】
2009211581.tif 000005
【図４】
2009211581.tif 000006
【図５】
2009211581.tif 000007
【図６】
2009211581.tif 000008